【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
化学式Ｉの化合物であって、
【化１】
2009530447.tif 000001
Ｌ１は、単結合−Ｃ（Ｏ）−Ｏ、−Ｃ（Ｏ）−、および−Ｃ（Ｏ）ＮＲ２から成る群から選択される結合基であり、
Ｒ１はＨ、ＯＨ、Ｃ１−２０アルキル、Ｃ３−２０シクロアルキル、およびアリ−ルか
ら成る群から選択され、前記最後の３個の基が選択的に置換されていてもよく、その際、アルキル、シクロアルキルまたはアリール基の炭素のうち１若しくはそれ以上が、Ｏ、Ｓ、Ｎ、ＮＲ２またはＮ（Ｒ２）２で置換されていてもよく、またはＲ１が、生物活性剤であり、
Ｒ２はＨまたはＣ１−６アルキルであり、
ｖ及びｗは、互いに独立し、１〜４から独立的に選択される整数であり、
ｘは１０〜３００の整数であり、
ｙは５〜２００の整数であり、
ｚは０〜１００の整数であり、
アリール基は、単環または多縮合環を持つ炭素原子を６〜１４個含む単環式または二環式芳香族であり、更に、前記選択的な置換基は、ハロ、ＯＨ、ＯＣ１−６アルキル、Ｃ１−６アルキル、Ｃ２−６アルケニル、Ｃ２−６アルケニルオキシ（ａｌｋｅｎｙｌｏｘｙ）、ＮＨ２、ＮＨ（Ｃ１−６アルキル）、Ｎ（Ｃ１−６アルキル）（Ｃ１−６アルキル）、ＣＮ、ＮＯ２、Ｃ（Ｏ）Ｃ１−６アルキル、Ｃ（Ｏ）ＯＣ１−６アルキル、ＳＯ２Ｃ１−６アルキル、ＳＯ２ＮＨ２、ＳＯ２ＮＨＣ１−６アルキル、フェニル、およびＣ１−６アルキレンフェニルからなる群から選択されるものである、化合物。
【請求項２】
請求項１記載の化学式Ｉの化合物において、Ｌ１は、−Ｃ（Ｏ）−Ｏ−または−Ｃ（Ｏ）-である。
【請求項３】
請求項１記載の化学式Ｉの化合物において、Ｒ１は、Ｃ１−６アルキル、Ｃ３−８シクロアルキル、アリール基、および生物活性剤から成る群から選択され、前記アルキル、シクロアルキルまたはアリール基の炭素のうち１若しくはそれ以上が、選択的にＯ、Ｓ、またはＮで置換されていてもよいものである。
【請求項４】
請求項１に記載の化学式Ｉの化合物において、前記選択的な置換基は、ハロ、ＯＨ、ＯＣ１−４アルキル、Ｃ１−４アルキル、Ｃ２−４アルケニル、Ｃ２−４アルケニルオキシ、ＮＨ２、ＮＨ（Ｃ１−４アルキル）、Ｎ（Ｃ１−４アルキル）（Ｃ１−４アルキル）、ＣＮ、ＮＯ２、Ｃ（Ｏ）Ｃ１−４アルキル、Ｃ（Ｏ）ＯＣ１−４ルキル、ＳＯ２Ｃ１−４アルキル、ＳＯ２ＮＨ２、ＳＯ２ＮＨＣ１−４アルキル、フェニル、およびＣ１−４アルキレンフェニルからなる群から選択されるものである。
【請求項５】
請求項１記載の化学式Ｉの化合物において、ｖ及びｗは、互いに独立して２または３である。
【請求項６】
請求項１記載の化学式Ｉの化合物において、ｖ及びｗは、同じものである。
【請求項７】
請求項１記載の化学式Ｉの化合物において、ｘは、５０〜２００の整数である。
【請求項８】
請求項１記載の化学式Ｉの化合物において、ｘは、１００〜１５０の整数である。
【請求項９】
請求項１記載の化学式Ｉの化合物において、ｙは、５〜１００の整数である。
【請求項１０】
請求項１記載の化学式Ｉの化合物において、ｙは、５〜５０の整数である。
【請求項１１】
請求項１記載の化学式Ｉの化合物において、ｙは、１０〜２０の整数である。
【請求項１２】
請求項１記載の化学式Ｉの化合物において、ｚは、０〜８０の整数である。
【請求項１３】
請求項１記載の化学式Ｉの化合物において、ｚは、０〜４０の整数である。
【請求項１４】
請求項１記載の化学式Ｉの化合物において、Ｒ１は、生物活性剤である。
【請求項１５】
請求項１記載の化学式Ｉの化合物において、Ｒ１は、ドキソルビシン（ｄｏｘｏｒｕｂｉｃｉｎ：ＤＯＸ）、アンフォテリシンＢ（ａｍｐｈｏｔｅｒｉｃｉｎ  Ｂ）、メトトレキサート（ｍｅｔｈｏｔｒｅｘａｔｅ）、シスプラチン（ｃｉｓｐｌａｔｉｎ）、パクリタクセル（ｐａｃｌｉｔａｘｅｌ）、エトポシド（ｅｔｏｐｏｓｉｄｅ）、シクロスポリンＡ（ｃｙｃｌｏｓｐｏｒｉｎｅ  Ａ）、ＰＳＣ８３３、アミオダロン（ａｍｉｏｄａｒｏｎｅ）、ラパマイシン（ｒａｐａｍｙｃｉｎｅ）、カンプトセシン（ｃａｍｐｔｏｔｈｅｃｉｎ）コレステロール（ｃｈｏｌｅｓｔｅｒｏｌ）およびエルゴステロール、デクサメタゾーン（ｄｅｘａｍｅｔｈａｓｏｎｅ）、プレドニゾン（ｐｒｅｄｎｉｓｏｎｅ）、コルチゾール（ｃｏｒｔｉｓｏｌ）、テストステロン（ｔｅｓｔｏｓｔｅｒｏｎｅ）、エストロゲンズ（ｅｓｔｒｏｇｅｎｓ）、プロゲスチンズ（ｐｒｏｇｅｓｔｉｎｓ）、デュロモスタロン（ｄｒｏｍｏｓｔａｎｏｌｏｎｅ）、テストラクトン（ｔｅｓｔｏｌａｃｔｏｎｅ）、ヂエチルシルベストロ−ル（ｄｉｅｔｈｅｌｓｔｉｌｂｅｓｔｒｏｌ）、エチニルエストラジオール（ｅｔｈｉｎｙｌ  ｅｓｔｒａｄｉｏｌ）、ブデソニド（ｂｕｄｅｓｏｎｉｄｅ）、ベクロメタソン（ｂｅｃｌｏｍｅｔａｓｏｎｅ）およびビタミンＤから成る群から選択される生物活性剤である。
【請求項１６】
請求項１記載の化学式Ｉの化合物において、Ｒ１は、ドキソルビシンである。
【請求項１７】
請求項１記載の化学式Ｉの化合物において、Ｒ１は、シクロスポリンである。
【請求項１８】
請求項１記載の化学式Ｉの化合物において、Ｒ１は、コレステロールである。
【請求項１９】
請求項１〜１３の何れかに記載の化学式Ｉの化合物と生物活性剤とを含む組成物であって、前記化学式Ｉの化合物は、前記生物活性剤の周囲にミセルを形成するものである、組成物。
【請求項２０】
請求項１９記載の組成物であって、前記化学式Ｉの化合物は、化学結合、静電気的結合、物理的なカプセル化、またはこれ等の任意の組み合わせによって、前記生物活性剤の周囲にミセルを形成するものである。
【請求項２１】
請求項１９記載の組成物において、前記生物活性剤は、ＤＮＡ、ＲＮＡ、オリゴヌクレオチド、タンパク質、ペプチドおよび薬物から成る群から選択されるものである。
【請求項２２】
請求項１９記載の組成物において、前記生物活性剤は、ＤＮＡ、タンパク質、および薬物から成る群から選択されるものである。
【請求項２３】
請求項１９記載の組成物において、前記生物活性剤は、ドキソルビシン（ＤＯＸ）、アンフォテリシンＢ（ａｍｐｈｏｔｅｒｉｃｉｎ  Ｂ）、メトトレキサート（ｍｅｔｈｏｔｒｅｘａｔｅ）、シスプラチン（ｃｉｓｐｌａｔｉｎ）、パクリタクセル（ｐａｃｌｉｔａｘｅｌ）、エトポシド（ｅｔｏｐｏｓｉｄｅ）、シクロスポリンＡ（ｃｙｃｌｏｓｐｏｒｉｎｅ  Ａ）、ＰＳＣ８３３、アミオダロン（ａｍｉｏｄａｒｏｎｅ）、ラパマイシン（ｒａｐａｍｙｃｉｎｅ）、カンプトセシン（ｃａｍｐｔｏｔｈｅｃｉｎ）コレステロール（ｃｈｏｌｅｓｔｅｒｏｌ）およびエルゴステロール、デクサメタゾーン（ｄｅｘａｍｅｔｈａｓｏｎｅ）、プレドニゾン（ｐｒｅｄｎｉｓｏｎｅ）、コルチゾール（ｃｏｒｔｉｓｏｌ）、テストステロン（ｔｅｓｔｏｓｔｅｒｏｎｅ）、エストロゲンズ（ｅｓｔｒｏｇｅｎｓ）、プロゲスチンズ（ｐｒｏｇｅｓｔｉｎｓ）、デュロモスタロン（ｄｒｏｍｏｓｔａｎｏｌｏｎｅ）、テストラクトン（ｔｅｓｔｏｌａｃｔｏｎｅ）、ヂエチルシルベストロ−ル（ｄｉｅｔｈｅｌｓｔｉｌｂｅｓｔｒｏｌ）、エチニルエストラジオール（ｅｔｈｉｎｙｌ  ｅｓｔｒａｄｉｏｌ）、ブデソニド（ｂｕｄｅｓｏｎｉｄｅ）、ベクロメタソン（ｂｅｃｌｏｍｅｔａｓｏｎｅ）およびビタミンＤから成る群から選択される薬物である。
【請求項２４】
請求項２３記載の組成物において、前記薬物は、ドキソルビシン（ＤＯＸ）、コレステロール、およびシクロスポリンから選択されるものである。
【請求項２５】
請求項２３記載の組成物において、前記薬物は、ドキソルビシン（ＤＯＸ）である。
【請求項２６】
化学式ＩＩの化合物であって、
【化２】
2009530447.tif 000002
Ｌ１は、単結合−Ｃ（Ｏ）−（Ｏ）−、−Ｃ（Ｏ）−、および−Ｃ（Ｏ）ＮＲ２から成
る群から選択される結合基であり、
Ｒ１はＨ、ＯＨ，Ｃ１−２０アルキル基、Ｃ３−２０シクロアルキルおよびアリ−ル基から成る群から選択され、前記最後の３個の基は選択的に置換されていてもよく、その際、アルキル、シクロアルキルまたはアリール基の炭素のうち１若しくはそれ以上が、Ｏ、Ｓ、Ｎ、ＮＲ２またはＮ（Ｒ２）２で置換されていてもよいものであり、
Ｒ２はＨまたはＣ１−６アルキルであり、
ｖは１〜４の整数であり、
ここでアリール基は、単環または多縮合環を持つ炭素原子を６〜１４個含む単環式または二環式芳香族であり、また、前記選択的な置換基は、ハロ、ＯＨ、ＯＣ１−６アルキル、Ｃ１−６アルキル、Ｃ２−６アルケニル、Ｃ２−６アルケニルオキシ（ａｌｋｅｎｙｌｏｘｙ）、ＮＨ２、ＮＨ（Ｃ１−６アルキル）、Ｎ（Ｃ１−６アルキル）（Ｃ１−６アルキル）、ＣＮ、ＮＯ２、Ｃ（Ｏ）Ｃ１−６アルキル、Ｃ（Ｏ）ＯＣ１−６アルキル、ＳＯ２Ｃ１−６アルキル、ＳＯ２ＮＨ２、ＳＯ２ＮＨＣ１−６アルキル、フェニル、およびＣ１−６アルキレンフェニルからなる群から選択される、化合物。
【請求項２７】
請求項２６記載の化学式ＩＩの化合物において、Ｖは１であり、Ｌ１は−Ｃ（Ｏ）−Ｏ−であり、Ｒ１はベンジルである。
【請求項２８】
請求項２６記載の化学式ＩＩの化合物において、Ｖは１であり、Ｌ１は−Ｃ（Ｏ）−Ｏ−であり、Ｒ１はα−コレストリルである。
【請求項２９】
請求項２６記載の化学式ＩＩの化合物において、Ｖは１であり、Ｌ１は−Ｃ（Ｏ）−Ｏ−であり、Ｒ１は水素である。
【請求項３０】
対象に生物活性剤を送達する薬剤を調整するための、有効量の前記生物活性剤の周囲にミセルを形成する請求項１記載の化学式Ｉの化合物の使用。
【請求項３１】
請求項３０記載の使用において、前記生物活性剤は、ＤＮＡ、ＲＮＡ、オリゴヌクレオチド、タンパク質、ペプチド、および薬物から成る群から選択されるものである。
【手続補正２】
【補正対象書類名】明細書
【補正対象項目名】０００６
【補正方法】変更
【補正の内容】
【０００６】
本発明者も、以前、脂肪族系薬物、アンフォテリシンＢ（ＡｍＢ）をカプセル化するのにコア中に飽和脂肪酸エステル類を持つＰＥＯ−ｂ−ＰＬＡＡに基づくミセルのシステムを調製した。このものがＡｍＢ放出速度を有効に保持できるように、ミセルのコアを化学的に微調整した（参照、Ｌａｖａｓａｎｉｆａｒ  Ａ，  Ｓａｍｕｅｌ  Ｊ，  Ｋｗｏｎ  ＧＳ：  ポリ（エチレンオキサイド）−ブロック−ポリ（Ｎ−アルキルステアレートＬ−アスパルトアミド（ａｓｐａｒｔａｍｉｄｅ））のミセル：  薬物送達用リポタンパク質の合成類似体（Ｌａｖａｓａｎｉｆａｒ  Ａ，  Ｓａｍｕｅｌ  Ｊ，  Ｋｗｏｎ  ＧＳ：  Ｍｉｃｅｌｌｅｓ  ｏｆ  ｐｏｌｙ（ｅｔｈｙｌｅｎｅ  ｏｘｉｄｅ）−ｂｌｏｃｋ−ｐｏｌｙ（Ｎ−ａｌｋｙｌ  ｓｔｅａｒａｔｅ  Ｌ−ａｓｐａｒｔａｍｉｄｅ）：  ｓｙｎｔｈｅｔｉｃ  ａｎａｌｏｇｕｅｓ  ｏｆ  ｌｉｐｏｐｒｏｔｅｉｎｓ  ｆｏｒ  ｄｒｕｇ  ｄｅｌｉｖｅｒｙ．  Ｊ  Ｂｉｏｍｅｄ  Ｍａｔｅｒ  Ｒｅｓ  （２０００））。理論によって限定されるのを望まないが、例えば、エステル結合のようなより加水分解性結合の生成によって、薬物放出特性が十分なミセルを生成するのに、ミセル生成ブロック共重合体−薬物複合体が使用できそうであると思われる。この手法を利用してＰＥＯ−ｂ−ＰＬＡＡにメトトレキサート（ＭＴＸ）を付加させた。ＭＴＸの付加量で重合体ミセルの安定性および薬物放出速度を規制するものである。
この出願の発明に関連する先行技術文献情報としては、以下のものがある（国際出願日以降国際段階で引用された文献及び他国に国内移行した際に引用された文献を含む）。
【特許文献１】米国特許第３，６７０，０４５号明細書
【特許文献２】国際公開第２００６／００２３６５号パンフレット
【特許文献３】国際公開第１９９９／５５７６２号パンフレット
【非特許文献１】Ｍａｔｓｕｍｕｒａ，  Ｙ．，  ｅｔ  ａｌ．  Ｐｈａｓｅ  Ｉ  ｃｌｉｎｉｃａｌ  ｔｒｉａｌ  ａｎｄ  ｐｈａｒｍａｃｏｋｉｎｅｔｉｃ  ｅｖａｌｕａｔｉｏｎ  ｏｆ  ＮＫ９１１，  ａ  ｍｉｃｅｌｌｅ−ｅｎｃａｐｓｕｌａｔｅｄ  ｄｏｘｏｒｕｂｉｃｉｎ．  Ｂｒ  Ｊ  Ｃａｎｃｅｒ．  ２００４．  Ｖｏｌ．  ９１（１０），  ｐｐ．  １７７５−８１．
【非特許文献２】Ｌａｖａｓａｎｉｆａｒ，  Ａ．，  ｅｔ  ａｌ．  Ｍｉｃｅｌｌｅｓ  ｏｆ  ｐｏｌｙ（ｅｔｈｙｌｅｎｅ  ｏｘｉｄｅ）−ｂｌｏｃｋ−ｐｏｌｙ（Ｎ−ａｌｋｙｌ  ｓｔｅａｒａｔｅ  Ｌ−ａｓｐａｒｔａｍｉｄｅ）：  ｓｙｎｔｈｅｔｉｃ  ａｎａｌｏｇｕｅｓ  ｏｆ  ｌｉｐｏｐｒｏｔｅｉｎｓ  ｆｏｒ  ｄｒｕｇ  ｄｅｌｉｖｅｒｙ．  Ｊ  Ｂｉｏｍｅｄ  Ｍａｔｅｒ  Ｒｅｓ．  ２０００．  Ｖｏｌ．  ５２（４），  ｐｐ．  ８３１−５．
【非特許文献３】Ｔｒｏｌｌｓａｓ，  Ｍ．，  ｅｔ  ａｌ．  Ｈｙｄｒｏｐｈｉｌｉｃ  ａｌｉｐｈａｔｉｃ  ｐｏｌｙｅｓｔｅｒｓ：  ｄｅｓｉｇｎ，  ｓｙｎｔｈｅｓｉｓ，  ａｎｄ  ｒｉｎｇ−ｏｐｅｎｉｎｇ  ｐｏｌｙｍｅｒｉｚａｔｉｏｎ  ｏｆ  ｆｕｎｃｔｉｏｎａｌ  ｃｙｃｌｉｃ  ｅｓｔｅｒｓ．  Ｍａｃｒｏｍｏｌｅｃｕｌｅｓ．  ２０００．  Ｖｏｌ．  ３３，  ｐｐ．  ４６１９−２７．
【非特許文献４】Ｎａｋａｎｉｓｈｉ，  Ｔ．，  ｅｔ  ａｌ．  Ｄｅｖｅｌｏｐｍｅｎｔ  ｏｆ  ｔｈｅ  ｐｏｌｙｍｅｒ  ｍｉｃｅｌｌｅ  ｃａｒｒｉｅｒ  ｓｙｓｔｅｍ  ｆｏｒ  ｄｏｘｏｒｕｂｉｃｉｎ．  Ｊ  Ｃｏｎｔｒｏｌ  Ｒｅｌｅａｓｅ．  ２００１．  Ｖｏｌ．  ７４（１−３），  ｐｐ．  ２９５−３０２
【非特許文献５】Ｙｏｋｏｙａｍａ，  Ｍ．，  Ｃｈａｒａｃｔｅｒｉｚａｔｉｏｎ  ｏｆ  ｐｈｙｓｉｃａｌ  ｅｎｔｒａｐｍｅｎｔ  ａｎｄ  ｃｈｅｍｉｃａｌ  ｃｏｎｊｕｇａｔｉｏｎ  ｏｆ  ａｄｒｉａｍｙｃｉｎ  ｉｎ  ｐｏｌｙｍｅｒｉｃ  ｍｉｃｅｌｌｅｓ  ａｎｄ  ｔｈｅｉｒ  ｄｅｓｉｇｎ  ｆｏｒ  ｉｎ  ｖｉｖｏ  ｄｅｌｉｖｅｒｙ  ｔｏ  ａ  ｓｏｌｉｄ  ｔｕｍｏｒ．  Ｊ  Ｃｏｎｔｒｏｌ  Ｒｅｌｅａｓｅ．  １９９８．  Ｖｏｌ．  ５０（１−３），  ｐｐ．  ７９−９２
【非特許文献６】Ｌａｖａｓａｎｉｆａｒ，  Ａ．，  ｅｔ  ａｌ．  Ｂｌｏｃｋ  ｃｏｐｏｌｙｍｅｒ  ｍｉｃｅｌｌｅｓ  ｆｏｒ  ｔｈｅ  ｅｎｃａｐｓｕｌａｔｉｏｎ  ａｎｄ  ｄｅｌｉｖｅｒｙ  ｏｆ  ａｍｐｈｏｔｅｒｉｃｉｎ  Ｂ．  Ｐｈａｒｍ  Ｒｅｓ．  ２００２．  Ｖｏｌ．  １９（４），  ｐｐ．  ４１８−２２
【非特許文献７】Ｌｉ，  Ｙ．  ａｎｄ  Ｋｗｏｎ，  Ｇ．Ｓ．  Ｍｅｔｈｏｔｒｅｘａｔｅ  ｅｓｔｅｒｓ  ｏｆ  ｐｏｌｙ（ｅｔｈｙｌｅｎｅ  ｏｘｉｄｅ）−ｂｌｏｃｋ−ｐｏｌｙ（２−ｈｙｄｒｏｘｙｅｔｈｙｌ−Ｌ−ａｓｐａｒｔａｍｉｄｅ）．  Ｐａｒｔ  Ｉ：  Ｅｆｆｅｃｔｓ  ｏｆ  ｔｈｅ  ｌｅｖｅｌ  ｏｆ  ｍｅｔｈｏｔｒｅｘａｔｅ  ｃｏｎｊｕｇａｔｉｏｎ  ｏｎ  ｔｈｅ  ｓｔａｂｉｌｉｔｙ  ｏｆ  ｍｉｃｅｌｌｅｓ  ａｎ  ｏｎ  ｄｒｕｇ  ｒｅｌｅａｓｅ．  Ｐｈａｒｍ  Ｒｅｓ．  ２０００．  Ｖｏｌ．  １７（５），  ｐｐ．  ６０７−１１．
【非特許文献８】Ｎｉｓｈｉｙａｍａ，  Ｎ．，  ｅｔ  ａｌ．  Ｃｉｓｐｌａｔｉｎ−ｌｏａｄｅｄ  ｐｏｌｙｍｅｒ−ｍｅｔａｌ  ｃｏｍｐｌｅｘ  ｍｉｃｅｌｌｅ  ｗｉｔｈ  ｔｉｍｅ−ｍｏｄｕｌａｔｅｄ  ｄｅｃａｙｉｎｇ  ｐｒｏｐｅｒｔｙ  ａｓ  ａ  ｎｏｖｅｌ  ｄｒｕｇ  ｄｅｌｉｖｅｒｙ  ｓｙｓｔｅｍ．  Ｐｈａｒｍ  Ｒｅｓ．  ２００１．  Ｖｏｌ．  １８（７），  ｐｐ．  １０３５−４１．
【非特許文献９】Ｙｏｋｏｙａｍａ，  Ｍ．，  ｅｔ  ａｌ．  Ｉｎｃｏｒｐｏｒａｔｉｏｎ  ｏｆ  ｗａｔｅｒ−ｉｎｓｏｌｕｂｌｅ  ａｎｔｉｃａｎｃｅｒ  ｄｒｕｇ  ｉｎｔｏ  ｐｏｌｙｍｅｒｉｃ  ｍｉｃｅｌｌｅｓ  ａｎｄ  ｃｏｎｔｒｏｌ  ｏｆ  ｔｈｅｉｒ  ｐａｒｔｉｃｌｅ  ｓｉｚｅ．  Ｊ  Ｃｏｎｔｒｏｌ  Ｒｅｌｅａｓｅ．  １９９８．  Ｖｏｌ．  ５５（２−３），  ｐｐ．  ２１９−２９．
【非特許文献１０】Ａｌｉａｂａｄｉ，  Ｈ．Ｍ．，  ｅｔ  ａｌ．  Ｐｏｌｙｍｅｒｉｃ  ｍｉｃｅｌｌｅｓ  ｆｏｒ  ｔｈｅ  ｓｏｌｕｂｉｌｉｚａｔｉｏｎ  ａｎｄ  ｄｅｌｉｖｅｒｙ  ｏｆ  ｃｙｃｌｏｓｐｏｒｉｎｅ  Ａ：  ｐｈａｒｍａｃｏｋｉｎｅｔｉｃｓ  ａｎｄ  ｂｉｏｄｉｓｔｒｉｂｕｔｉｏｎ．  Ｂｉｏｍａｔｅｒｉａｌｓ．  ２００５．  Ｖｏｌ．
【非特許文献１１】Ａｌｉａｂａｄｉ，  Ｈ．Ｍ．，  ｅｔ  ａｌ．，  Ｍｉｃｅｌｌｅｓ  ｏｆ  ｍｅｔｈｏｘｙ  ｐｏｌｙ（ｅｔｈｙｌｅｎｅ  ｏｘｉｄｅ）−ｂ−ｐｏｌｙ（ｅｐｓｉｌｏｎ−ｃａｐｒｏｌａｃｔｏｎｅ）  ａｓ  ｖｅｈｉｃｌｅｓ  ｆｏｒ  ｔｈｅ  ｓｏｌｕｂｉｌｉｚａｔｉｏｎ  ａｎｄ  ｃｏｎｔｒｏｌｌｅｄ  ｄｅｌｉｖｅｒｙ  ｏｆ  ｃｙｃｌｏｓｐｏｒｉｎｅ  Ａ．  Ｊ  Ｃｏｎｔｒｏｌ  Ｒｅｌｅａｓｅ．  ２００５．  Ｖｏｌ．  １０４（２），  ｐｐ．  ３０１−１１．
【非特許文献１２】Ａｌｌｅｎ，  Ｃ．，  ｅｔ  ａｌ．  ＰＣＬ−ｂ−ＰＥＯ  ｍｉｃｅｌｌｅｓ  ａｓ  ａ  ｄｅｌｉｖｅｒｙ  ｖｅｈｉｃｌｅ  ｆｏｒ  ＦＫ５０６：  Ａｓｓｅｓｓｍｅｎｔ  ｏｆ  ａ  ｆｕｎｃｔｉｏｎａｌ  ｒｅｃｏｖｅｒｙ  ｏｆ  ｃｒｕｓｈｅｄ  ｐｅｒｉｐｈｅｒａｌ  ｎｅｒｖｅ．  Ｄｒｕｇ  Ｄｅｌｉｖｅｒｙ．  ２０００．  Ｖｏｌ．  ７（３），  ｐｐ．  １３９−４５．
【非特許文献１３】Ａｌｌｅｎ，  Ｃ．，  ｅｔ  ａｌ．  Ｐｏｌｙｃａｐｒｏｌａｃｔｏｎｅ−ｂ−ｐｏｌｙ（ｅｔｈｙｌｅｎｅ  ｏｘｉｄｅ）  ｃｏｐｏｌｙｍｅｒ  ｍｉｃｅｌｌｅｓ  ａｓ  ａ  ｄｅｌｉｖｅｒｙ  ｖｅｈｉｃｌｅ  ｆｏｒ  ｄｉｈｙｄｒｏｔｅｓｔｏｓｔｅｒｏｎｅ．  Ｊ  Ｃｏｎｔｒｏｌ  Ｒｅｌｅａｓｅ．  ２０００．  Ｖｏｌ．  ６３（３），  ｐｐ．  ２７５−８６．
【非特許文献１４】Ａｌｌｅｎ，  Ｃ．，  ｅｔ  ａｌ．  Ｐｏｌｙｃａｐｒｏｌａｃｔｏｎｅ−ｂ−ｐｏｌｙ（ｅｔｈｙｌｅｎｅ  ｏｘｉｄｅ）  ｂｌｏｃｋ  ｃｏｐｏｌｙｍｅｒ  ｍｉｃｅｌｌｅｓ  ａｓ  ａ  ｎｏｖｅｌ  ｄｒｕｇ  ｄｅｌｉｖｅｒｙ  ｖｅｈｉｃｌｅ  ｆｏｒ  ｎｅｕｒｏｔｒｏｐｈｉｃ  ａｇｅｎｔｓ  ＦＫ５０６  ａｎｄ  Ｌ−６８５，８１８．  Ｂｉｃｏｎｊｕｇａｔｅ  Ｃｈｅｍｉｓｔｒｙ．  １９９８．  Ｖｏｌ．  ９（５），  ｐｐ．  ５６４−７２．
【非特許文献１５】Ｆｏｒｒｅｓｔ，  Ｍ．Ｌ．，  ｅｔ  ａｌ．  Ｉｎ  ｖｉｔｒｏ  ｒｅｌｅａｓｅ  ｏｆ  ｔｈｅ  ｍＴＯＲ  ｉｎｈｉｂｉｔｏｒ  ｒａｐａｍｙｃｉｎ  ｆｒｏｍ  ｐｏｌｙ（ｅｔｈｙｌｅｎｅ  ｇｌｙｃｏｌ）−ｂ−ｐｏｌｙ（ｅｐｓｉｌｏｎ−ｃａｐｒｏｌａｃｔｏｎｅ）  ｍｉｃｅｌｌｅｓ．  Ｊ  Ｃｏｎｔｒｏｌ  Ｒｅｌｅａｓｅ．  ２００６．  Ｖｏｌ．  １１０（２），  ｐｐ．  ３７０−７．
【非特許文献１６】Ｋｉｍ，  Ｓ．Ｙ．  ａｎｄ  Ｌｅｅ，  Ｙ．Ｍ．  Ｔａｘｏｌ−ｌｏａｄｅｄ  ｂｌｏｃｋ  ｃｏｐｏｌｙｍｅｒ  ｎａｎｏｓｐｈｅｒｅｓ  ｃｏｍｐｏｓｅｄ  ｏｆ  ｍｅｔｈｏｘｙ  ｐｏｌｙ（ｅｔｈｙｌｅｎｅ  ｇｌｙｃｏｌ）  ａｎｄ  ｐｏｌｙ（ｅｐｓｉｌｏｎ−ｃａｐｒｏｌａｃｔｏｎｅ）  ａｓ  ｎｏｖｅｌ  ａｎｔｉｃａｎｃｅｒ  ｄｒｕｇ  ｃａｒｒｉｅｒｓ．  Ｂｉｏｍａｔｅｒｉａｌｓ．  ２００１．  Ｖｏｌ．  ２２（１３），  ｐｐ．  １６９７−７０４．
【非特許文献１７】Ｋｉｍ，  Ｓ．Ｙ．，  ｅｔ  ａｌ．  Ｉｎｄｏｍｅｔｈａｃｉｎ−ｌｏａｄｅｄ  ｍｅｔｈｏｘｙ  ｐｏｌｙ（ｅｔｈｙｌｅｎｅ  ｇｌｙｃｏｌ）／ｐｏｌｙ（ｅｐｓｉｌｏｎ−ｃａｐｒｏｌａｃｔｏｎｅ）  ｄｉｂｌｏｃｋ  ｃｏｐｏｌｙｍｅｒｉｃ  ｎａｎｏｓｐｈｅｒｅ：  ｐｈａｒｍａｃｏｋｉｎｅｔｉｃ  ｃｈａｒａｃｔｅｒｉｓｔｉｃｓ  ｏｆ  ｉｎｄｏｍｅｔｈａｃｉｎ  ｉｎ  ｔｈｅ  ｎｏｒｍａｌ  Ｓｐｒａｇｕｅ−Ｄａｗｌｅｙ  ｒａｔｓ．  Ｂｉｏｍａｔｅｒｉａｌｓ．  ２００１．  Ｖｏｌ．  ２２（１４），  ｐｐ．  ２０４９−５６．
【非特許文献１８】Ｓｈｉ，  Ｂ．，  ｅｔ  ａｌ．  Ｓｔｅａｌｔｈ  ＭｅＰＥＧ−ＰＣＬ  ｍｉｃｅｌｌｅｓ：  ｅｆｆｅｃｔｓ  ｏｆ  ｐｏｌｙｍｅｒ  ｃｏｍｐｏｓｉｔｉｏｎ  ｏｎ  ｍｉｃｅｌｌｅ  ｐｈｙｓｉｃｏｃｈｅｍｉｃａｌ  ｃｈａｒａｃｔｅｒｉｓｔｉｃｓ，  ｉｎ  ｖｉｔｒｏ  ｄｒｕｇ  ｒｅｌｅａｓｅ，  ｉｎ  ｖｉｖｏ  ｐｈａｒｍａｃｏｋｉｎｅｔｉｃｓ  ｉｎ  ｒａｔｓ  ａｎｄ  ｂｉｏｄｉｓｔｒｉｂｕｔｉｏｎ  ｉｎ  Ｓ−１８０  ｔｕｍｏｒ  ｂｅａｒｉｎｇ  ｍｉｃｅ．    Ｃｏｌｌｏｉｄ  ａｎｄ  Ｐｏｌｙｍｅｒ  Ｓｃｉｅｎｃｅ．  ２００５．  Ｖｏｌ．  ２８３（９），  ｐｐ．  ９５４−６７．
【非特許文献１９】Ｂａｔａｌｉｎｉ，  Ｃ．  ａｎｄ  Ｂｉｅｂｅｒ，  Ｌ．Ｗ．  Ｍｏｄｅｌ  ｓｔｕｄｉｅｓ  ｏｎ  ｔｈｅ  ｓｙｎｔｈｅｓｉｓ  ｏｆ  ｔｈｅ  ｎａｔｕｒａｌ  ｍｅｒｏｔｅｒｐｅｎｏｉｄ  ｃｏｒｄｉａｑｕｉｎｏｎｅ  Ａ．  Ｅｃｌｅｔｉｃａ  Ｑｕｉｍｉｃａ．  ２００１．  Ｖｏｌ．  ２６，  ｐｐ．  ６９−７６．
【非特許文献２０】Ｍａｈｍｕｄ，  Ａ．  ａｎｄ  Ｌａｖａｓａｎｉｆａｒ，  Ａ．  Ｔｈｅ  ｅｆｆｅｃｔ  ｏｆ  ｂｌｏｃｋ  ｃｏｐｏｌｙｍｅｒ  ｓｔｒｕｃｔｕｒｅ  ｏｎ  ｔｈｅ  ｉｎｔｅｒｎａｌｉｚａｔｉｏｎ  ｏｆ  ｐｏｌｙｍｅｒｉｃ  ｍｉｃｅｌｌｅｓ  ｂｙ  ｈｕｍａｎ  ｂｒｅａｓｔ  ｃａｎｃｅｒ  ｃｅｌｌｓ．  Ｃｏｌｌｏｉｄｓ  Ｓｕｒｆ  Ｂ  Ｂｉｏｉｎｔｅｒｆａｃｅｓ．  ２００５．  Ｖｏｌ．  ４５（２），  ｐｐ．  ８２−９．
【非特許文献２１】Ｙｕａｎ，  Ｍ．Ｌ．，  ｅｔ  ａｌ．  Ｐｏｌｙｍｅｒｉｚａｔｉｏｎ  ｏｆ  ｌａｃｔａｔｅｓ  ａｎｄ  ｌａｃｔｏｎｅｓ．  １０．  Ｓｙｎｔｈｅｓｉｓ，  ｃｈａｒａｃｔｅｒｉｚａｔｉｏｎ，  ａｎｄ  ａｐｐｌｉｃａｔｉｏｎ  ｏｆ  ａｍｉｎｏ−ｔｅｒｍｉｎａｔｅｄ  ｐｏｌｙ（ｅｔｈｙｌｅｎｅ  ｇｌｙｃｏｌ）−ｃｏ−ｐｏｌｙ（ｅｐｓｉｌｏｎ−ｃａｐｒｏｌａｃｔｏｎｅ）  ｂｌｏｃｋ  ｃｏｐｏｌｙｍｅｒ．  Ｍａｃｒｏｍｏｌｅｃｕｌｅｓ．  ２０００．  Ｖｏｌ．  ３３（５），  ｐｐ．  １６１３−７．
【非特許文献２２】Ｋｉｍｕｒａ，  Ｙ．，  ｅｔ  ａｌ．  Ｒｉｎｇ−ｏｐｅｎｉｎｇ  ｐｏｌｙｍｅｒｉｚａｔｉｏｎ  ｏｆ  ３（Ｓ）−［ｂｅｎｚｙｌｏｘｙｃａｒｂｏｎｙｌ）ｍｅｔｈｙｌ］−１，４−ｄｉｏｘａｎｅ−２，５−ｄｉｏｎｅ−ａ  ｎｅｗ  ｒｏｕｔｅ  ｔｏ  ａ  ｐｏｌｙ（ａｌｐｈａ−ｈｙｄｒｏｘｙ  ａｃｉｄ）  ｗｉｔｈ  ｐｅｎｄａｎｔ  ｃａｒｂｏｘｙｌ  ｇｒｏｕｐｓ．  Ｍａｃｒｏｍｏｌｅｃｕｌｅｓ．  １９８８．  Ｖｏｌ．  ２１（１１），  ｐｐ．  ３３３８−４０．
【非特許文献２３】Ｌｅｅ，  Ｊ．，  ｅｔ  ａｌ．  Ｉｎｃｏｒｐｏｒａｔｉｏｎ  ａｎｄ  ｒｅｌｅａｓｅ  ｂｅｈａｖｉｏｒ  ｏｆ  ｈｙｄｒｏｐｈｏｂｉｃ  ｄｒｕｇ  ｉｎ  ｆｕｎｃｔｉｏｎａｌｉｚｅｄ  ｐｏｌｙ（Ｄ，Ｌ−ｌａｃｔｉｄｅ）−ｂｌｏｃｋ−ｐｏｌｙ（ｅｔｈｙｌｅｎｅ  ｏｘｉｄｅ）  ｍｉｃｅｌｌｅｓ．  Ｊ  Ｃｏｎｔｒｏｌ  Ｒｅｌｅａｓｅ．  ２００４．  Ｖｏｌ．  ９４（２−３），  ｐｐ．  ３２３−３５．
【非特許文献２４】Ｌａｖａｓａｎｉｆａｒ，  Ａ．，  ｅｔ  ａｌ．  Ｔｈｅ  ｅｆｆｅｃｔ  ｏｆ  ａｌｋｙｌ  ｃｏｒｅ  ｓｔｒｕｃｔｕｒｅ  ｏｎ  ｍｉｃｅｌｌａｒ  ｐｒｏｐｅｒｔｉｅｓ  ｏｆ  ｐｏｌｙ（ｅｔｈｙｌｅｎｅ  ｏｘｉｄｅ）−ｂｌｏｃｋ−ｐｏｌｙ（Ｌ−ａｓｐａｒｔａｍｉｄｅ）  ｄｅｒｉｖａｔｉｖｅｓ．  Ｃｏｌｌｏｉｄｓ  Ｓｕｒｆ  Ｂ  Ｂｉｏｉｎｔｅｒｆａｃｅｓ．  ２００１．  Ｖｏｌ．  ２２（２），  ｐｐ．  １１５−２６．
【非特許文献２５】Ｋａｔａｏｋａ，  Ｋ．，  ｅｔ  ａｌ．  Ｂｌｏｃｋ  ｃｏｐｏｌｙｍｅｒ  ｍｉｃｅｌｌｅｓ  ｆｏｒ  ｄｒｕｇ  ｄｅｌｉｖｅｒｙ：  ｄｅｓｉｇｎ，  ｃｈａｒａｃｔｅｒｉｚａｔｉｏｎ  ａｎｄ  ｂｉｏｌｏｇｉｃａｌ  ｓｉｇｎｉｆｉｃａｎｃｅ．  Ａｄｖａｎｃｅｄ  Ｄｒｕｇ  Ｄｅｌｉｖｅｒｙ  Ｒｅｖｉｅｗｓ．  ２００１．  Ｖｏｌ．  ４７（１），  ｐｐ．  １１３−３１．
【非特許文献２６】Ｋｗｏｎ，  Ｇ．Ｓ．  ａｎｄ  Ｋａｔａｏｋａ，  Ｋ．  Ｂｌｏｃｋ−ｃｏｐｏｌｙｍｅｒ  ｍｉｃｅｌｌｅｓ  ａｓ  ｌｏｎｇ−ｃｉｒｃｕｌａｔｉｎｇ  ｄｒｕｇ  ｖｅｈｉｃｌｅｓ．  Ａｄｖａｎｃｅｄ  Ｄｒｕｇ  Ｄｅｌｉｖｅｒｙ  Ｒｅｖｉｅｗｓ．  １９９５．  Ｖｏｌ．  １６（２−３），  ｐｐ．  ２９５−３０９．
【非特許文献２７】Ｌａｖａｓａｎｉｆａｒ，  Ａ．，  ｅｔ  ａｌ．  Ｐｏｌｙ（ｅｔｈｙｌｅｎｅ  ｏｘｉｄｅ）−ｂｌｏｃｋ−ｐｏｌｙ（Ｌ−ａｍｉｎｏ  ａｃｉｄ）  ｍｉｃｅｌｌｅｓ  ｆｏｒ  ｄｒｕｇ  ｄｅｌｉｖｅｒｙ．  Ａｄｖａｎｃｅｄ  Ｄｒｕｇ  Ｄｅｌｉｖｅｒｙ  Ｒｅｖｉｅｗｓ．  ２００２．  Ｖｏｌ．  ５４（２），  ｐｐ．  １６９−９０．
【非特許文献２８】Ａｌｉａｂａｄｉ，  Ｈ．Ｍ．  ａｎｄ  Ｌａｖａｓａｎｉｆａｒ，  Ａ．  Ｐｏｌｙｍｅｒｉｃ  ｍｉｃｅｌｌｅｓ  ｆｏｒ  ｄｒｕｇ  ｄｅｌｉｖｅｒ．  Ｅｘｐｅｒｔ  Ｏｐｉｎ  Ｄｒｕｇ  Ｄｅｌｉｖ．  ２００６．  Ｖｏｌ．  ３（１），  ｐｐ．  １３９−６２．
【非特許文献２９】Ｓｈｕａｉ，  Ｘ．，  ｅｔ  ａｌ．  Ｍｉｃｅｌｌａｒ  ｃａｒｒｉｅｒｓ  ｂａｓｅｄ  ｏｎ  ｂｌｏｃｋ  ｃｏｐｏｌｙｍｅｒｓ  ｏｆ  ｐｏｌｙ（ｅｐｓｉｌｏｎ−ｃａｐｒｏｌａｃｔｏｎｅ）  ａｎｄ  ｐｏｌｙ（ｅｔｈｙｌｅｎｅ  ｇｌｙｃｏｌ）  ｆｏｒ  ｄｏｘｏｒｕｂｉｃｉｎ  ｄｅｌｉｖｅｒｙ．  Ｊ  Ｃｏｎｔｒｏｌ  Ｒｅｌｅａｓｅ．  ２００４．  Ｖｏｌ．  ９８（３），  ｐｐ．  ４１５−２６．
【非特許文献３０】Ｓｈｕａｉ，  Ｘ，  ｅｔ  ａｌ．  Ｃｏｒｅ−ｃｒｏｓｓ−ｌｉｎｋｅｄ  ｐｏｌｙｍｅｒｉｃ  ｍｉｃｅｌｌｅｓ  ａｓ  ｐａｃｌｉｔａｘｅｌ  ｃａｒｒｉｅｒｓ．  Ｂｉｏｃｏｎｊｕｇ  Ｃｈｅｍ．  ２００４．  Ｖｏｌ．  １５（３），  ｐｐ．  ４４１−８．
【非特許文献３１】Ｋｗｏｎ，  Ｇ．，  ｅｔ  ａｌ．  Ｂｌｏｃｋ  ｃｏｐｏｌｙｍｅｒ  ｍｉｃｅｌｌｅｓ  ｆｏｒ  ｄｒｕｇ  ｄｅｌｉｖｅｒｙ：  ｌｏａｄｉｎｇ  ａｎｄ  ｒｅｌｅａｓｅ  ｏｆ  ｄｏｘｏｒｕｂｉｃｉｎ．  Ｊ  Ｃｏｎｔｒｏｌ  Ｒｅｌｅａｓｅ．  １９９７．  Ｖｏｌ．  ４８，  ｐｐ．  １９５−２０１．
【非特許文献３２】Ｓａｎｔ，  Ｖ．Ｐ．，  ｅｔ  ａｌ．  Ｎｏｖｅｌ  ｐＨ−ｓｅｎｓｉｔｉｖｅ  ｓｕｐｒａｍｏｌｅｃｕｌａｒ  ａｓｓｅｍｂｌｉｅｓ  ｆｏｒ  ｏｒａｌ  ｄｅｌｉｖｅｒｙ  ｏｆ  ｐｏｏｒｌｙ  ｗａｔｅｒ  ｓｏｌｕｂｌｅ  ｄｒｕｇｓ：  ｐｒｅｐａｒａｔｉｏｎ  ａｎｄ  ｃｈａｒａｃｔｅｒｉｚａｔｉｏｎ．  Ｊ  Ｃｏｎｔｒｏｌ  Ｒｅｌｅａｓｅ．  ２００４．  Ｖｏｌ．  ９７（２），  ｐｐ．  ３０１−１２．
【非特許文献３３】Ｐｏｎｓａｒｔ，  Ｓ．，  ｅｔ  ａｌ．  Ａ  ｎｏｖｅｌ  ｒｏｕｔｅ  ｔｏ  ｐｏｌｙ（ｅｐｓｉｌｏｎ−ｃａｐｒｏｌａｃｔｏｎｅ）−ｂａｓｅｄ  ｃｏｐｏｌｙｍｅｒｓ  ｖｉａ  ａｎｉｏｎｉｃ  ｄｅｒｉｖａｔｉｚａｔｉｏｎ．  Ｂｉｏｍａｃｒｏｍｏｌｅｃｕｌｅｓ．  ２０００．  Ｖｏｌ．  １（２），  ｐｐ．  ２７５−８１．
【非特許文献３４】Ｇｉｍｅｎｅｚ，  Ｓ．，  ｅｔ  ａｌ．  Ｓｙｎｔｈｅｓｉｓ，  ｐｒｏｐｅｒｔｉｅｓ  ａｎｄ  ｉｎ  ｖｉｔｒｏ  ｄｅｇｒａｄａｔｉｏｎ  ｏｆ  ｃａｒｂｏｘｙｌ−ｂｅａｒｉｎｇ  ＰＣＬ．  Ｊｏｕｒｎａｌ  ｏｆ  Ｂｉｏａｃｔｉｖｅ  ａｎ  Ｃｏｍｐａｔｉｂｌｅ  Ｐｏｌｙｍｅｒｓ．  ２００１．  Ｖｏｌ．  １６（１），  ｐｐ．  ３２−４６．
【非特許文献３５】Ｌｏｕ，  Ｘ．Ｄ．，  ｅｔ  ａｌ．  Ｎｏｖｅｌ  ａｌｉｐｈａｔｉｃ  ｐｏｌｙｅｓｔｅｒｓ  ｂａｓｅｄ  ｏｎ  ｆｕｎｃｔｉｏｎａｌ  ｃｙｃｌｉｃ  （ｄｉ）ｅｓｔｅｒｓ．  Ｍａｃｒｏｍｏｌｅｃｕｌａｒ  Ｒａｐｉｄ  Ｃｏｍｍｕｎｉｃａｔｉｏｎｓ．  ２００３．  Ｖｏｌ．  ２４（２），  ｐｐ．  １６１−７２．
【非特許文献３６】Ｗａｎｇ，  Ｘ．Ｌ．，  ｅｔ  ａｌ．  Ｓｙｎｔｈｅｓｉｓ  ａｎｄ  ｃｈａｒａｃｔｅｒｉｚａｔｉｏｎ  ｏｆ  ｎｏｖｅｌ  ａｌｉｐｈａｔｉｃ  ｐｏｌｙｃａｒｂｏｎａｔｅｓ．  Ｊｏｕｒｎａｌ  ｏｆ  Ｐｏｌｙｍｅｒ  Ｓｃｉｅｎｃｅ  Ｐａｒｔ  Ａ−Ｐｏｌｙｍｅｒ  Ｃｈｅｍｉｓｔｒｙ．  ２００２．  Ｖｏｌ．  ４０（１），  ｐｐ．  ７０−５．
【非特許文献３７】Ｙａｓｕｇｉ，  Ｋ．，  ｅｔ  ａｌ．  Ｐｒｅｐａｒａｔｉｏｎ  ａｎｄ  ｃｈａｒａｃｔｅｒｉｚａｔｉｏｎ  ｏｆ  ｐｏｌｙｍｅｒ  ｍｉｃｅｌｌｅｓ  ｆｒｏｍ  ｐｏｌｙ（ｅｔｈｙｌｅｎｅ  ｇｌｙｃｏｌ）−ｐｏｌｙ（Ｄ，Ｌ−ｌａｃｔｉｄｅ）  ｂｌｏｃｋ  ｃｏｐｏｌｙｍｅｒｓ  ａｓ  ｐｏｔｅｎｔｉａｌ  ｄｒｕｇ  ｃａｒｒｉｅｒ．  Ｊ  Ｃｏｎｔｒｏｌ  Ｒｅｌｅａｓｅ．  １９９９．  Ｖｏｌ．  ６２（１−２），  ｐｐ．  ８９−１００．
【非特許文献３８】Ｎａｇａｒａｊａｎ，  Ｒ．  ａｎｄ  Ｇａｎｅｓｈ，  Ｋ．  Ｂｌｏｃｋ  ｃｏｐｏｌｙｍｅｒ  ｓｅｌｆ−ａｓｓｅｍｂｌｙ  ｉｎ  ｓｅｌｅｃｔｉｖｅ  ｓｏｌｖｅｎｔｓ−ｔｈｅｏｒｙ  ｏｆ  ｓｏｌｕｂｉｌｉｚａｔｉｏｎ  ｉｎ  ｓｐｈｅｒｉｃａｌ  ｍｉｃｅｌｌｅｓ．  Ｍａｃｒｏｍｏｌｅｃｕｌｅｓ．  １９８９．  Ｖｏｌ．  ２２（１１），  ｐｐ．  ４３１２−２５．
【非特許文献３９】Ｇｅｏｒｇｅｓ，  Ｊ．  Ｍｏｌｅｃｕｌａｒ  ｆｌｕｏｒｅｓｃｅｎｃｅ  ｉｎ  ｍｉｃｅｌｌｅｓ  ａｎｄ  ｍｉｃｒｏｅｍｕｌｓｉｏｎｓ−ｍｉｃｅｌｌａｒ  ｅｆｆｅｃｔｓ  ａｎｄ  ａｎａｌｙｔｉｃａｌ  ａｐｐｌｉｃａｔｉｏｎｓ．  Ｓｐｅｃｔｒｏｃｈｉｍｉｃａ  Ａｃｔａ  Ｒｅｖｉｅｗｓ．  １９９０．  Ｖｏｌ．  １３（１），  ｐｐ．  ２７−４５．
【非特許文献４０】Ｋａｔａｏｋａ，  Ｋ．，  ｅｔ  ａｌ．  Ｂｌｏｃｋ  ｃｏｐｏｌｙｍｅｒ  ｍｉｃｅｌｌｅｓ  ａｓ  ｖｅｈｉｃｌｅｓ  ｆｏｒ  ｄｒｕｇ  ｄｅｌｉｖｅｒｙ．  Ｊ  Ｃｏｎｔｒｏｌ  Ｒｅｌｅａｓｅ．  １９９３．  Ｖｏｌ．  ２４（１−３），  ｐｐ．  １１９−３２．
【非特許文献４１】Ｍａｈｍｕｄ，  Ａ．，  ｅｔ  ａｌ．  Ｎｏｖｅｌ  ｓｅｌｆ−ａｓｓｏｃｉａｔｉｎｇ  ｐｏｌｙ（ｅｔｈｙｌｅｎｅ  ｏｘｉｄｅ）−ｂｌｏｃｋ−ｐｏｌｙ  （Ｅ−ｃａｐｒｏｌａｃｔｏｎｅ）  ｂｌｏｃｋ  ｃｏｐｏｌｙｍｅｒｓ  ｗｉｔｈ  ｆｕｎｃｔｉｏｎａｌ  ｓｉｄｅ  ｇｒｏｕｐｓ  ｏｎ  ｔｈｅ  ｐｏｌｙｅｓｔｅｒ  ｂｌｏｃｋ  ｆｏｒ  ｄｒｕｇ  ｄｅｌｉｖｅｒｙ．  Ｍａｃｒｏｍｏｌｅｃｕｌｅｓ．  ２００６．  Ｖｏｌ．  ３９，  ｐｐ．  ９４１９−２８．